(57)【特許請求の範囲】
【請求項１】
少なくとも腕の肘から手首を包み込むように保持するスリング本体と、
このスリング本体の肘支持部分に後ろ側の端部が接続され肩に掛けて吊り下げられる肩ベルトと、
略三角柱形状であってその三角形の頂点部分が腋下に挟み込まれた状態でスリング本体に取付けられることにより肩関節の外転角を所定角度に調節する角度調節ブロックと、
この角度調節ブロックの後ろ側の端部に取付けられて腰に回すことにより角度調節ブロックを体幹に固定させる胴ベルトと、
前記肩ベルトおよび胴ベルトをその前方にて連結させる連結部と、
前記スリング本体の手首支持部分と前記連結部を連結させる前腕固定ベルトとを備えることを特徴とする肩関節外転装具。
【請求項２】
前記スリング本体、角度調節ブロック、肩ベルト、胴ベルト、連結部の接続部分を着脱自在とする面ファスナを備える請求項１に記載の肩関節外転装具。
【請求項３】
前記連結部は肩ベルトおよび胴ベルトの間に介在する連結用リングカンであり、前記スリング本体と肩ベルトの接続部にスリング用リングカンを介在させ、前記肩ベルトとスリング本体との接続部における長さ調節を可能とすると共に、前記角度調節ブロックを取り外すときには前記胴ベルト、連結用リングカンを取り外した状態で連結用リングカンに接続していた肩ベルトを手首側のスリング用リングカンに連結可能に構成してある請求項１または請求項２に記載の肩関節外転装具。
【請求項４】
前記リングカンは合成樹脂からなるリングであり、前記肩ベルトの連結用リングカンとの接続部に着色部を備え、スリング本体は肘から手首の長さよりも手首の可動範囲を制限できる程度に長く形成してあると共に、スリング本体内に取付けられて腕の位置ズレを防止する位置規制クッションを有し、さらに、スリング用リングカンはスリング本体から少なくとも数センチメートル延出するベルトの先端部に設けられている請求項３に記載の肩関節外転装具。
【請求項５】
前記肩ベルトおよび胴ベルトにはベルトに対する位置を移動可能に構成してあるパットを備える請求項１〜請求項４のいずれか１項に記載の肩関節外転装具。
【発明の詳細な説明】
【技術分野】
【０００１】
本発明は、肩関節外転装具に関するものであり、より詳しくは、装着容易でありながらあらゆる体型に合わせて使用でき、コンパクトで体に接するどの部分も柔らかく付け心地の良い肩関節外転装具を提供する。
【背景技術】
【０００２】
腱板断裂、インピンジメント症候群、反復性肩関節脱臼、石灰沈着性腱板炎・関節唇損傷などの肩関節に関する治療を施す場合、下記特許文献１に示す肩関節固定具を用いることがあった。これによって肩関節の固定において肘関節を確実に９０度に屈曲させることができ、腕が揺れ動かないようにすることができる。しかしながら、肩関節の治療においては外転角を固定する必要が生じることもあった。
【０００３】
そこで、肩関節の外転角を所定の角度に固定して治療するために、下記特許文献２、３に示すような種々の装具が用いられることもある。これらの装具によって、肩関節の外転角を固定して肩関節の外転角を固定することができるので、肩関節の安静肢位を保持することができる。
【先行技術文献】
【特許文献】
【０００４】
【特許文献１】特開平９−２９９３９０号公報
【特許文献２】実開平５−５１３２０号公報
【特許文献３】特開２０１２−９０９２０号公報
【発明の概要】
【発明が解決しようとする課題】
【０００５】
しかしながら、上記特許文献２に記載の肩装具は基本的に継手によって構成されているため、長時間使用すると装具が接する部分に痛みが生じるだけでなく、とりわけ外転角の角度固定部分には大きな力が加わるため破損の恐れがあり、これによって外転角の固定を保てなくなるばかりか、破損した装具によって怪我をする危険性があった。
【０００６】
特許文献３に記載の肩関節固定装具はクッション性に優れた角度調節部材によって外転角の固定を行なっているため、装着感は優れており、破損の恐れもなく安全であるが、この角度調節部材を体幹に固定するために複数のベルトを用いる必要がある故に装着が困難にならざるを得ず、装着のための援助者が必要となるという問題がある。また、肩関節の外転角を固定する必要が無くなる程度に治療が進行しても、治療が完了するまでは同じ形状の装具を用いる必要があった。
【０００７】
本発明は従来の課題を解決し、肩関節の外転角度をさらに迅速かつ確実に固定することができ、しかも体の大きさなどに合わせて容易に調節できる肩関節外転装具を提供するものである。
【課題を解決するための手段】
【０００８】
前記課題を解決するため、本発明は、少なくとも腕の肘から手首を包み込むように保持するスリング本体と、このスリング本体の肘支持部分に後ろ側の端部が接続され肩に掛けて吊り下げられる肩ベルトと、略三角柱形状であってその三角形の頂点部分が腋下に挟み込まれた状態でスリング本体に取付けられることにより肩関節の外転角を所定角度に調節する角度調節ブロックと、この角度調節ブロックの後ろ側の端部に取付けられて腰に回すことにより角度調節ブロックを体幹に固定させる胴ベルトと、前記肩ベルトおよび胴ベルトをその前方にて連結させる連結部と、前記スリング本体の手首支持部分と前記連結部を連結させる前腕固定ベルトとを備えることを特徴とする肩関節外転装具を提供する。（請求項１）
【０００９】
前記構成によれば、スリング本体と肩ベルトにより肘と手首の位置を吊り下げ保持することができるので、肘関節をほぼ９０度に屈曲させた状態で固定することができ、胴ベルトによって角度調節ブロックが腋下に挟み込まれた状態で体幹に固定されるので、肩関節の外転角を安定して固定することができる。連結部は肩ベルトと胴ベルトをその前方にて連結させているので、使用者は他人の介助を必要とせずに肩ベルトと胴ベルトの両方を容易に持って肩関節外転装具を装着することができる。また、角度調節ブロックとスリング本体が取付けられるので、肩関節外転装具を装着した状態では肩関節の外転角を確実に所定の範囲内に限定できる。
【００１０】
前記スリング本体は少なくとも腕の肘から手首部までを包み込むように折り曲げられた布状部材からなり、上腕に沿うと共に前記折り曲げ部に対して略直角に閉じられた部分を有し、かつ、上方に解放させている。また、前記スリング本体の肘部は通気用の切り欠き部を形成してあることが好ましい。さらに、スリング本体は通気性に優れた合成繊維からなる生地を用いて形成されていることが好ましく、前記肩ベルトとの接続部には引っ張り力に抗しうる強度を備えた布によって補強された補強部を備えることが好ましい。
【００１１】
前記肩ベルトおよび胴ベルトは引っ張り力に抗しうる強度を備えた帯状部材であり、その長さを調節可能とする長さ調節部を備えることが好ましい。角度調節ブロックは例えば断面３０°の鋭角を備える略三角柱形状の発泡ウレタン樹脂からなるブロックであることが好ましく、２つのブロックの鋭角部分を重ねるように接続して６０°の角度を付けられるようにすることが好ましい。
【００１２】
前記スリング本体、角度調節ブロック、肩ベルト、胴ベルト、連結部の接続部分を着脱自在とする面ファスナを備える場合（請求項２）には、スリング本体と角度調節ブロック、角度調節ブロックと胴ベルトの接続および離脱を容易に行なうことができる。また、肩ベルトおよび胴ベルトは面ファスナの取付け位置を変えるだけで長さ調整を行なうことができるので、あらゆる体型の人にも合わせて肩関節外転装具を装着することができる。
【００１３】
角度調節ブロックと胴ベルトとの接続部には角度調節ブロック側に多数のフックを形成してなる雄面ファスナを形成し、胴ベルト側に柔らかな起毛部を形成してなる雌面ファスナを形成したものであることが好ましく、両方の面ファスナは胴ベルトの幅よりも大きな円形に形成してあることが好ましい。これにより、角度調節ブロックを確実に体幹に固定することができる。さらに、胴ベルトの面ファスナには接着面を引きはがす引っ張り力を効率的に加えることができるように胴ベルトに延設形成された掴み部を備えて、角度調節ブロックに対する胴ベルトの着脱を容易とすることが好ましい。
【００１４】
胴ベルトおよび肩ベルトは例えばその全面に多数のパイル部を形成してなる雌面ファスナによって形成し、両面に雄面ファスナを形成した接続片を挟み込むようにして長さ調整可能に構成されていることが好ましい。腰ベルトおよび肩ベルト側に雌面ファスナを形成することにより、ベルトの肌触りが良く使用感が向上する。
【００１５】
前記角度調節ブロックとスリング本体の接続部には角度調節ブロック側に雄面ファスナを形成し、スリング本体側に雌面ファスナとなる柔らかな起毛部を形成してあることが好ましい。これにより、スリング本体から角度調節ブロックを取り外した状態においてスリング本体の肌触りが良くなる。なお、複数の角度調節ブロックを形成する場合には、角度調節ブロックとスリング本体の間に挿入される角度調節ブロックのスリング本体側に接する面を雄面ファスナ、角度調節ブロック側に接する面を雌面ファスナとすることが好ましい。
【００１６】
前記連結部は肩ベルトおよび胴ベルトの間に介在する連結用リングカンであり、前記スリング本体と肩ベルトの接続部にスリング用リングカンを介在させ、前記肩ベルトとスリング本体との接続部における長さ調節を可能とすると共に、前記角度調節ブロックを取り外すときには前記胴ベルト、連結用リングカンを取り外した状態で連結用リングカンに接続していた肩ベルトを手首側のスリング用リングカンに連結可能に構成してある場合（請求項３）には、連結部の構成を簡素にでき、製造コストを削減できるだけでなく、連結部における肩ベルトと胴ベルトの連結角度を自在に調節できるので自由度が向上し、あらゆる体型に合わせて調節可能とすることができる。
【００１７】
また、角度調節ブロックを取り外すときにも、スリング用リングカンに直接肩ベルトを連結可能であるから、肩関節の外転角を制限する必要がない程度に回復した後には、スリング本体と肩ベルトのみを、よりシンプルなスリングとして用いることができる。
【００１８】
前記連結用リングカンおよびスリング用リングカンはステンレスのような錆びにくい金属によって形成することが考えられる。つまり、前記両リングカンが十分な強度を備えるものであることにより、使用者は安心して身を預けることができる。
【００１９】
前記リングカンは合成樹脂からなるリングであり、前記肩ベルトの連結用リングカンとの接続部に着色部を備え、スリング本体は肘から手首の長さよりも手首の可動範囲を制限できる程度に長く形成してあると共に、スリング本体内に取付けられて腕の位置ズレを防止する位置規制クッションを有し、さらに、スリング用リングカンはスリング本体から少なくとも数センチメートル延出するベルトの先端部に設けられている場合（請求項４）には、リングカンが合成樹脂からなることにより、軽量感があるだけでなく、肩ベルト、胴ベルト、連結用リングカン、スリング本体、スリング用リングカンを、錆びる心配なく丸洗い洗濯することができる。また、合成樹脂からなるリングカンは金属製のもののようにアレルギーの原因になったり錆を衣服に付着させてしまう恐れがない。
【００２０】
前記スリング本体が手首の稼働範囲を制限できる程度に長く形成されていることにより、治療に必要な安静維持を良好に行うことができる。加えて、位置規制クッションはスリング本体に対する腕の位置ずれを防止するので、安静維持をさらに確実に行えるだけでなく柔らかなクッションは肌触りがよく使用感が良好である。スリング用リングカンをスリング本体から少なくとも数センチメートル延設するベルトの先端部に設けることにより、肩関節外転装具の装着が容易となる。
【００２１】
肩ベルトの連結用リングカンとの接続部に着色部を備えるので、使用者はこの着色部によって胴ベルトと肩ベルトを容易に見分けることができ、正しい装着を行なうことができる。
【００２２】
前記肩ベルトおよび胴ベルトにはベルトに対する位置を移動可能に構成してあるパットを備える場合（請求項５）には、パットによって荷重を分散してかけることができるので、使用者は肩関節外転装具の荷重による痛みを感じることなく、装着感がよい。また、ベルトに対するパットの位置を調節できるので、どんな体型の使用者にも対応できる。なお、ベルトに雌面ファスナが形成されている場合には、この面に対面するパットの部位に形成された雄面ファスナを設けることにより、ベルトに対する位置を移動可能に保持できる。
【発明の効果】
【００２３】
前述したように、本発明によれば、使用者が介助を必要とせずに肩関節外転装具を容易に装着でき、また、多数の位置調整部分を備えるので、あらゆる体型の使用者が肩関節外転装具の装着位置を容易に安定させることができる。
【００２４】
面ファスナを用いた取付け部は着脱操作をより直感的に行なうことができ、それだけ、使い勝手がよい。また、雄雌の面ファスナを適切に配置することにより、各接続部を取り外した状態で肌に触れる部分を柔らかな雌面ファスナによって形成して肌触りを良くすることができる。
【００２５】
前記連結用リングカンによって肩ベルトと胴ベルトを連結させることにより、使用者は両ベルトを一度に持って装着することが可能となり、さらに使い勝手が良くなる。
【００２６】
さらに、目印となる着色部を備えることにより、装着の操作が容易となる。位置規制クッションは使用者にストレスを与えることなく腕の位置を固定できるので、肩関節の安静維持を楽に行なうことができる。
【００２７】
加えて、前記両ベルトにパットを形成することにより、さらにソフトな使用感を得ることができる。
【図面の簡単な説明】
【００２８】
【図１】本発明の肩関節外転装具の例を示す斜視図である。
【図２】前記肩関節外転装具の一部構成を示す図である。
【図３】前記肩関節外転装具の一部構成を示す斜視図である。
【図４】前記肩関節外転装具の一部構成を分解して示す図である。
【図５】前記肩関節外転装具の装着手順を示す図である。
【発明を実施するための形態】
【００２９】
以下、本発明の一実施形態について図面を参照しながら説明する。
本実施形態の肩関節外転装具１は、腱板断裂、インピンジメント症候群、反復性肩関節脱臼、石灰沈着性腱板炎・関節唇損傷などの肩関節に関する治療を施す使用者Ｍに装着されるものである。
【００３０】
図１，図２に示すように、少なくとも使用者Ｍの腕１１の肘１１Ａから手首１１Ｂを包み込むように保持するスリング本体２と、このスリング本体２の肘支持部分２Ａと手首支持部分２Ｂに両端が接続され肩に掛けて吊り下げられる肩ベルト３と、略三角柱形状であってその三角形の頂点部分が腋下に挟み込まれた状態でスリング本体に取付けられることにより肩関節の外転角を所定角度に調節する角度調節ブロック４と、この角度調節ブロック４の前後両端部に取付けられて腰に回すことにより角度調節ブロックを体幹に固定させる胴ベルト５と、前記肩ベルト３および胴ベルト５の間に介在する合成樹脂製の連結用リングカンよりなり両ベルト３，５をその前方にて連結させる連結部６とを備える。
【００３１】
７は前記スリング本体２と肩ベルト３の接続部に介在させた合成樹脂からなるスリング用リングカン、８はスリング本体２内に取付けられて腕の位置ズレを防止する位置規制クッション、９は連結用リングカン６によって連結されることにより肩ベルト３の前方の先端部を構成する前腕固定ベルト、１０は連結用リングカン６を介して連結させた胴ベルト５の前端部および胴ベルト５の後端部に設けた接続パッドである。
【００３２】
図２に示すように、前記スリング本体２は、前記腕１１の肘１１Ａから手首１１Ｂより約２ｃｍ延長した延長部分１１Ｃまでを包み込むように折り曲げて折り曲げ部２Ｃを形成した通気性に優れた合成繊維によって形成される布状部材２Ｄによって少なくとも肘１１Ａから手首１１Ｂを支持するものである。布状部材２Ｄは前記腕１１の上腕１１Ｄに沿う方向に、前記折り曲げ部２Ｃに対して略直角に閉じられた縫合部分２Ｅを有し、かつ、上方に解放させた形状に形成されており、腕１１を上部の開放部分から容易に挿入して、肘関節を略直角に折り曲げた状態で保持できるように構成されている。また、前記スリング本体２の前記肘１１Ａに対応する部分には通気用の切り欠き部２Ｆを形成してある。
【００３３】
前記布状部材２Ｄは幾らかの伸縮性を有するものであり、この布状部材２Ｄの両外側面には前記肘１１Ａから手首１１Ｂに沿う方向に配置されて腕１１を両側から挟み込むように支持する伸縮性の少ない材質からなる前後一対の補強帯２Ｇが補強部として縫合されている。
【００３４】
また、布状部材２Ｄの手首支持部２Ｂにおける前後両側面には、下端が補強帯２Ｇと布状部材２Ｄの間を通り布状部材２Ｄに縫合されるともに、その上端にスリング用リングカン７Ｂ，７Ｃがそれぞれ取り付けられた前後一対の補強帯２Ｈを補強部として備える。さらに、前記布状部材２Ｄの縫合部分２Ｅには腕１１の肘支持部分２Ａの補強を図る補強帯２Ｉを補強部として備え、この補強帯２Ｉの上端にはスリング用リングカン７Ａが取り付けられている。なお、２Ｊは上腕部の前後両側に位置する布状部材２Ｄの外側面に縫合されて上腕部１１Ｄを挟み込むように補強する補強帯である。なお、前記補強帯２Ｇ〜２Ｊはいずれも表面に多数の起毛部を備えることにより雌面ファスナとしても機能する。
【００３５】
図３に示すように、前記補強帯２Ｇ，２Ｈ，２Ｊは前記角度調節ブロック４に形成させた雄面ファスナ４Ａ，４Ｂに対応する位置に配置されており、これらの雄面ファスナ４Ａ，４Ｂによってスリング本体２を角度調節ブロック４に脱着自在に取り付けられるように構成している。なお、本実施形態では、雄面ファスナ４Ａ，４Ｂの大きさに合わせて補強帯２Ｇ，２Ｈ，２Ｊをできるだけ広げて形成しているので、雄面ファスナ４Ａ，４Ｂに補強帯２Ｇ，２Ｈ，２Ｊを接着した状態でより強力な接着力をえることができるが、本発明は前記補強帯２Ｇ，２Ｈ，２Ｊを設ける位置を図示したものに限定されるものではない。
【００３６】
また、補強帯２Ｈはリングカン７Ｂ，７Ｃを挟んで折り返して布状部材２Ｄの内側面にも縫合されており、前記位置規制クッション８は布状部材２Ｄの内側面に縫合された補強帯２Ｈに着脱自在に取付けられる雄面ファスナ８Ａを備える。８Ｂは雄面ファスナ８Ａの形成によって補強された部分に設けられるスリットであり、このスリット８Ｂを介して位置規制クッション８内にクッション材を出し入れできるように構成している。
【００３７】
前記肩ベルト３および胴ベルト５はいずれも基本的に一方の面に多数のパイル部を形成した雌面ファスナを有し少なくとも腕１１の荷重による引っ張り力に十分耐えうる強度を備えるベルトであり、肩ベルト３のスリング用リングカン７Ａとの接続部および胴ベルト５の連結用リングカン６との接続部はリングカン７Ａ，６を挟んだ状態でパイル形成面を内側に折り返し、両パイル形成面に挟まれた部分には、両面に多数のフックからなる雄面ファスナを形成した接続片３Ａ，５Ａ（図１参照）を挟み込むように接着することによりベルト３，５の長さ調整を可能に接続している。
【００３８】
さらに、肩ベルト３の連結用リングカン６との接続部には、着色を施した雄面ファスナ３Ｂが取り付けられており、使用者Ｍは着色を施した雄面ファスナ３Ｂによって間違えることなく肩ベルト３をつかんで使用者Ｍの前方にてその長さ調節を行うことができるように構成している。
【００３９】
前記ベルト３，５にはいずれも使用者Ｍの体型に合わせて身体に力を掛ける部分に移動可能に取付けられたあて布のパット１２，１３を備える。これらのパット１２，１３はいずれもベルト３，５を通す貫通部１２Ａ，１３Ａと、この貫通部１２Ａ，１３Ａ内でベルト３，５の雌面ファスナに対峙する部分には雄面ファスナ１２Ｂ，１３Ｂとを備える。
【００４０】
図３，図４に示すように、前記角度調節ブロック４Ａは略三角柱形状のブロックであり、発砲ポリウレタンなどの合成樹脂を用いてソフトな弾力性と保型力を備えるブロック４Ｘ，４Ｙを必要に応じて重ねて用いるものである。本実施形態では、一つのブロック４Ｘによって、その三角形の頂点部分が腋下に挟み込まれた状態において肩関節の外転角に約３０°の角度を形成するように固定することができ、２つのブロック４Ｘ，４Ｙを重ねて用いることにより、６０°の外転角に固定できるように構成している。
【００４１】
使用者Ｍに密着する側の角度調節ブロック４Ｘにはその前後両端部に略円盤形状の雄面ファスナ４Ｃを形成しており、この角度調節ブロック４Ｘに取付けられる角度調節ブロック４Ｙには隣接する角度調節ブロック４Ｘの雄面ファスナ４Ａ，４Ｂに対応する位置に雌面ファスナ４Ｄ，４Ｅを形成している。
【００４２】
図１において、前記連結用リングカン６は合成樹脂からなる無端リングであり、前記肩ベルト３、胴ベルト５、接続パッド１０、前腕固定ベルト９を角度調節可能に連結するものであり、かつ、連結用リングカン６と肩ベルト３、胴ベルト５の接続部は長さ調節を容易に行なうことができる。したがって、これによって使用者Ｍの体型に柔軟に合わせた肩関節外転装具１の装着を可能としている。
【００４３】
また、連結用リングカン６を構成する合成樹脂は軽量であるから使用者Ｍは肩関節外転装具１を丸洗い洗濯することができ、錆によって衣服を汚す心配もない。同様にスリング用リングカン７（７Ａ〜７Ｃ）も合成樹脂からなることにより肩関節外転装具１の軽量化に貢献でき、スリング本体２の丸洗い洗濯を行えるという利点を有する。しかしながら、本発明の肩関節外転装具１はリングカン６，７が合成樹脂製であることに限定されるものではなく、強度の大きい金属によって形成してもよいことはいうまでもない。なお、連結用リングカン６はシンプルな無端リングであるから肩ベルト３と胴ベルト５の連結部を簡素化できるが、肩ベルト３と胴ベルト５の連結部はリングカン以外の連結構造であってもよい。
【００４４】
前記前腕固定ベルト９は連結用リングカン６に連結され、基本的に一方の面に多数のパイル部を形成した雌面ファスナを有し少なくとも腕１１の荷重による引っ張り力に十分耐えうる強度を備えるベルトであり、基端部には両面に雄面ファスナ９Ａを形成することにより、前記連結用リングカン６を挟んだ状態で基端部の雄面ファスナ９Ａを接着することにより、前腕固定ベルト９は連結用リングカン６に接続できると共に、前記スリング用リングカン７Ｂ，７Ｃを挟んだ状態で雌面ファスナ部を内側にして折り返して、前記雄ファスナ９Ａに着脱自在に取付けられることにより、前腕固定ベルト９の長さ調節を行いながらその遊端部をスリング用リングカン７Ｂ，７Ｃに連結できるように構成している。
【００４５】
前記接続パッド１０は前記胴ベルト５の前後両端（前端部のみ図示）に取付けられ、裏面に多数の起毛部を形成して雌面ファスナとして機能すると共に前記角度調節ブロック４の前後両端に設けた略円形の雄面ファスナ４Ｃよりも大きい円形のパッドであり、胴ベルト５の前端部に取付けられる接続パッド１０は前記連結用リングカン６に縫合されることにより胴ベルト５の先端部に角度変更自在に取付けられている。
【００４６】
１０Ａは胴ベルト５の前端部側の接続パッド１０の先端部に形成された掴み部であり、使用者Ｍは接続パッド１０の先端部において掴み部１０Ａを掴むことにより、接続パッド１０と雄面ファスナ４Ｃの接着面を引きはがす引っ張り力を効率的に加えることができ、角度調節ブロック４と胴ベルト５の着脱を容易としている。なお、接続パッド１０の操作をさらに容易とするために、接続パッド１０の表面に帯状の取っ手部を形成することにより、使用者Ｍが取っ手部を掴んだり、手のひらを取っ手部と接続パッド１０の間に挿入して脱着操作をさらに容易に行えるように構成してもよい。同様に、図示は省略するが胴ベルト５の後端部側の接続パット１０にも掴み部１０Ａを設けてもよい。
【００４７】
以下、図５（Ａ）〜図５（Ｅ）を用いて本実施形態の前記肩関節外転装具１の装着方法を説明する。
【００４８】
図５（Ａ）に示すように、使用者Ｍは角度調節ブロック４Ｘ，４Ｙ、スリング本体２を予め重ね合わせるように接着させ、スリング用リングカン７Ａに肩ベルト３の後端部を取付け、角度調節ブロック４Ｙの前後両端部に胴ベルト５の前後両端部の接続パッド１０を取付けた状態で、固定対象となる腕１１をスリング本体２に収容し、肩ベルト３を連結用リングカン６に通して折り返し固定する。
【００４９】
このとき、肩ベルト３の前端部には着色部３Ｂを形成しているので、使用者Ｍは胴ベルト５と間違うことなく、肩ベルト３を容易に正しく取付けることができる。また、固定は着色部３Ｂに設けた面ファスナによって行なわれるので、操作が容易であるだけでなく、使用者Ｍの体の大きさに合わせて自在に調整して取付けることができる。なお、本実施形態の場合着色部３Ｂに雄面ファスナを形成しているが、この着色部３Ｂも雌面ファスナとして前記接続片３Ａを挟むようにして長さ調節できるようにし、長さ調節できる範囲を広くしてもよい。さらに、着色部３Ｂを省略してもよい。
【００５０】
次いで、図５（Ｂ）に示すように、胴ベルト５を連結用リングカン６に通して折り返し、接続片５Ａを挟んで固定する。ここにおいても胴ベルト５と連結用リングカン６の固定が面ファスナによって行なわれるので、使用者Ｍは自分の体に合わせて胴ベルトの長さを自在に調節することができる。また、連結用リングカン６によって胴ベルト５と前端部の接続パッド１０を連結することにより、胴ベルト５を用いて角度調節ブロック４を使用者Ｍの体幹に固定することができる。ここで、角度調節ブロック４が体幹に密着するので、これが腋下の適切な位置に来るように肩ベルト３の長さをさらに調整できる。
【００５１】
図５（Ｃ）に示すように、角度調節ブロック４の位置がほぼ決まると、前腕固定ベルト９をスリング用リングカン７Ｂ，７Ｃに通して折り返すことにより、その長さを調節し、スリング本体２の開いた部分を閉じて、前記位置規制クッション８により腕１１を定位置に固定させることができる。このとき、位置規制クッション８は面ファスナ８Ａによって位置変更自在に取付けられるものであるから、使用者Ｍが自らストレスを感じない程度に腕１１の位置を固定できる位置に位置規制クッション８を配置することができ、使い心地がよい。
【００５２】
加えて、スリング本体２は使用者Ｍの腕１１の手首位置１１Ｂより延長させた延長部分１１Ｃまでを包み込むように腕１１を支持するので、治療を促進する安静位置に手首を安定化させて確実に固定するができる。また、前記手首支持部２Ｂにおけるスリング用リングカン７Ｂ，７Ｃが角度調節ブロック４の上方に来るように補強帯２Ｈをスリング本体２の上端より延設しているので、スリング用リングカン７Ｂ，７Ｃ内に前腕固定ベルト９を通しやく、取り扱いが良好である。しかしながら、スリング本体２の長さは少なくとも肘１１Ａから手首１１Ｂまでを包み込むものであればよく、また、手首支持部２Ｂにおけるスリング用リングカン７Ｂ，７Ｃの位置も角度調節ブロック４の上方であることが必ずとも必要であるわけではない。
【００５３】
図５（Ｄ）に示すように、各ベルト３，５，９の長さを適度に締め直した後に、余分なベルトはハサミなどを用いて切除することにより、肩関節外転装具１を使用者Ｍの体の大きさに合わせて調節することができる。
【００５４】
最後に、図５（Ｅ）に示すように、使用者Ｍの体に最も強い力が加わる部分に来るように前記パット１２，１３をそれぞれ適切な位置に移動させることにより、使用者Ｍは肩関節外転装具１を長期装着しても痛みなどが発生しないようにすることができる。なお、パッド１２，１３の大きさは使用者Ｍの体に強い力が掛かる部分だけを覆うだけで十分であるから全長１５〜１６ｃｍ程度の長さで十分であり、また、ベルト３，５の長さを調節できる範囲を広くすることができるが、パッド１２，１３の長さは２０〜２５ｃｍ程度の十分な長さにしてもよい。
【００５５】
各肩ベルト３と胴ベルト５の長さを調節した後は、胴ベルト５の前端部の接続パッド１０と前腕固定ベルト９を外すことにより、肩関節外転装具１を取り外すことができ、再び装着するときは、まず胴ベルト５の前端部の接続パッド１０を角度調節ブロック４に取付けて、前腕固定ベルト９を締め付けることにより、前回設定した位置に容易に合わせて装着することができる。
【００５６】
さらに、角度調節ブロック４が複数のブロック４Ｘ，４Ｙからなるので、肩関節の外転角を角度調節ブロック４Ｘ，４Ｙの数によって調節することも可能である。
【００５７】
加えて、肩関節の外転角を規制する必要がない程度に治療が進んだ時には、角度調節ブロック４、胴ベルト５、連結用リングカン６、前腕固定ベルト９を取り除き、連結用リングカン６に接続していた肩ベルト３の端部をスリング本体２のスリング用リングカン７Ｂ，７Ｃに接続することにより、肩関節の外転角を規制しないスリングとして用いることも可能となる。
【００５８】
上述したように、本発明の肩関節外転装具１は使用者Ｍの体に合わせて自在に調節できると共に使い勝手がよく、軽量で使い心地が良いだけでなく、治療の進行に合わせて徐々に軽装備に調節できる肩関節外転装具１を提供することができるが、本発明は上述した実施形態の形状に限定されるものではない。
【符号の説明】
【００５９】
１  肩関節固定装具
２  スリング本体
２Ａ  肘支持部分
２Ｂ  手首支持部分
２Ｇ，２Ｈ，２Ｊ，３Ａ，３Ｂ，４Ａ〜４Ｅ，５Ａ，８Ａ，９Ａ  面ファスナ
３  肩ベルト（面ファスナ）
３Ｂ  着色部（面ファスナ）
４  角度調節ブロック
５  胴ベルト（面ファスナ）
６  連結用リングカン（連結部）
７（７Ａ〜７Ｃ）  スリング用リングカン
８  位置規制クッション
１２，１３  パット
【図１】
0006376930.tif 000002
【図２】
0006376930.tif 000003
【図３】
0006376930.tif 000004
【図４】
0006376930.tif 000005
【図５】
0006376930.tif 000006